(57)【特許請求の範囲】
【請求項１】
多数のビーム（１０５）を与えるためのビーム源（１０１）と、
前記多数のビームから出た各ビームのためのブランカを有し、複数のビームを実質的に通過させるように構成されたブランカアレイ（１０７）と、
各ビームがブランキングされるべきとき、及びブランキングされるべきでないときを各ビームに示す一時ブランキングパターンを前記ブランカアレイ（１０７）に与えて、只一つの一時ブランキングパターンで各ビームを変調するための制御装置（１１２）と、
変調された前記複数のビームを直接かつ同時に測定する測定装置とを具備し、前記測定装置は、前記ブランカアレイの下流側に配置され、前記測定装置は、それぞれ変調された前記複数のビームを直接かつ同時に感知して、時間の関数として前記複数のビームの集合信号を与えるように配置されたセンサ領域を有するセンサを有するマルチビームリソグラフィシステム。
【請求項２】
前記集合信号をそれぞれのビームの各々に対する強度の値に復調するように構成された復調器をさらに具備し、前記復調器は、前記制御装置に前記一時ブランキングパターンを与えて、これらの対応する一時ブランキングパターン及び時間の関数としての前記複数のビームの前記集合信号に基づいてそれぞれのビームの強度の測度を計算するように構成された電子データプロセッサを有する請求項１のマルチビームリソグラフィシステム。
【請求項３】
前記センサ領域は、システムの前記多数のビームの全てのビームを同時に感知するように構成されている請求項１又は２のマルチビームリソグラフィシステム。
【請求項４】
前記多数のビームは、多数の荷電粒子ビームを含み、また、
前記測定装置は、前記複数のビームによって発生された集合電流を測定するように配置された電流測定センサを有する請求項１ないし３のいずれか１のマルチビームリソグラフィシステム。
【請求項５】
前記ビームに露光されるターゲットを保持し、かつ移動させるためのステージを有するターゲット位置決めシステムをさらに具備し、
前記測定装置は、前記ステージに装着される請求項１ないし４のいずれか１のマルチビームリソグラフィシステム。
【請求項６】
前記複数のビームを前記センサ領域に方向付けるための収束要素をさらに具備する請求項１ないし５のいずれか１のマルチビームリソグラフィシステム。
【請求項７】
前記測定装置は、前記センサ領域の前方に置かれたナイフエッジ又はナイフエッジアレイをさらに有する請求項１ないし６のいずれか１のマルチビームリソグラフィシステム。
【請求項８】
請求項１ないし７のいずれか１のシステムで複数のビームを同時に測定する方法であって、
ｉ）各ブランカに対して、各々が所定の時間間隔にわたる関連するビームの変調を示す一時ブランキングパターンを有する多数の一時ブランキングパターンを与える工程と、
ｉｉ）関連する一時ブランキングパターンを前記ビームに関連する各ブランカに流すことによって、前記時間間隔中に前記多数のビームの各ビームをそれぞれ変調して、全てのブランキングされていないビームの集合ビームの強度信号を感知して、いくつかのビームはいかなるときもブランキングされず、前記一時ブランキングパターンの流れ中に時間の関数として前記信号を測定する工程と、
ｉｉｉ）これらに関連する一時ブランキングパターン及び時間の関数としての前記信号に基づいて、それぞれのビームの強度の測度を計算する工程と、を具備する方法。
【請求項９】
前記工程ｉｉｉ）は、これらに関連する一時ブランキングパターン及び時間の関数としての前記信号に基づいて、それぞれのビームの強度の測度を計算することによって前記信号を復調することを含む請求項８の方法。
【請求項１０】
前記多数のビームの前記一時ブランキングパターンは、互いにほぼ直交する請求項８又は９の方法。
【請求項１１】
前記ｉ）及びｉｉ）の工程中、前記多数のビームのほぼ半分のみがスイッチを切り換えられる請求項８ないし１０のいずれか１の方法。
【請求項１２】
前記多数の一時ブランキングパターンは、擬似乱数を使用して発生される請求項８ないし１１のいずれか１の方法。
【請求項１３】
前記一時ブランキングパターンは、各一時ブランキングパターンが、多数のオン・オフの切り替えを含むように選択される請求項８ないし１２のいずれか１の方法。
【請求項１４】
前記一時ブランキングパターンは、ほぼいつでも、ブランキングされていないビームの合計量がほぼ一定であるように構成されている請求項８ないし１３のいずれか１の方法。
【請求項１５】
前記測定装置は、前記複数のビームによって発生される集合電流を時間の関数として測定するように配置された電流測定センサを有し、
前記測定装置は、可変利得増幅器をさらに有し、この可変利得増幅器は、高利得かつ低ノイズの設定を有する第１の設定と、低利得かつ高ノイズの設定を有する第２の設定とを有し、
前記集合電流が小さいと予期されるときに前記可変利得増幅器を前記第１の設定に設定する工程、もしくは前記集合電流が大きいと予期されるときに前記可変利得増幅器を前記第２の設定に設定する工程を含む請求項８ないし１４のいずれか１の方法。
【請求項１６】
ターゲット上にマルチビームを投影するためのマルチビームカラムを具備し、前記マルチビームカラムは、
多数のビームを与えるための前記ビーム源と、
前記ターゲット上に前記複数のビームを投影するための投影手段とを有し
前記ブランカアレイは、前記ビーム源と前記ターゲットとの間に配置され、
前記センサは、前記マルチビームカラムのスループットを試験するように、前記マルチビームカラムの下流側に配置され、前記センサの前記センサ領域は、前記多数のビームの全てのビームを同時に感知するように構成され、前記センサは、時間の関数として前記複数のビームの集合信号を与えるように配置され、
このシステムは、さらに、これらに対応する一時ブランキングパターン及び時間の関数としての前記複数のビームの集合信号に基づいてそれぞれのビームの強度の測度を計算することによって前記集合信号を復調するための復調器を具備する請求項１ないし７のいずれか１のマルチビームリソグラフィシステム。
【発明の詳細な説明】
【技術分野】
【０００１】
本発明は、多数のビーム（a multitude of beams）からのそれぞれのビームの強度が決定されるリソグラフィシステムであって、複数のビームを同時に感知して、これらの集合信号（aggregated  signal）を与えるように構成されたセンサ領域を有するセンサを備えた測定装置を具備するリソグラフィシステムに関する。本発明は、さらに、測定された集合信号によってこのようなそれぞれのビームの強度を計算する方法に関する。
【背景技術】
【０００２】
荷電粒子の露光ビーム、光、又は他のタイプの照射線は、産業において、とりわけ、高集積マイクロパターン化半導体デバイスの製造において使用されている。このような半導体デバイスは、通常、半導体ウェーハに形成され、適切な材料の層がこの半導体ウェーハの上に堆積され、パターン化され、その後、所定のパターンに従ってエッチングされる。露光ビームが、しばしば、パターニング工程で使用される。このようなビームに露光される犠牲材料の部分は、次の工程でエッチングされ、その一方、ビームに露光されていない部分は、残り、例えばウェーハ上にパターンをもたらす。
【０００３】
このプロセスでは、露光ビームの線量は、正確にモニタされ、それに応じてできるだけ適応されなければならない。線量が低すぎると、犠牲材料は十分に反応せず、また、犠牲材料は、次の工程でエッチングされない。その一方、線量が高すぎると、ビームのある部分は、露光されるべきでない領域にはみ出す可能性があり、この結果、望まれるよりも大きな表面がエッチングされる。どちらの場合も、意図されたパターンとは異なるパターンをもたらす。
【０００４】
好ましくないことに、犠牲材料に達するビームの線量は、例えば、ビーム源の変化、露光システムに対する変更、転写されるパターンの変化などに起因して、時間にわたる変化の影響を受けやすい。それ故、ビーム露光系で使用されるビームの線量を決定することができる必要がある。このような線量は、（１又は複数の）露光ビームがターゲットにぶつかる点で、又はその点の近くで、多くのビームに対して迅速に決定されることができることが好ましい。
【０００５】
速くかつ信頼できるようにして荷電粒子（ＣＰ）ビーム、すなわちＣＰビームの線量を決定するために、いくつかの解決策が既に提案されてきている。
【０００６】
特開２００４−２００５４９号公報には、マルチビーム（multiple-beam）リソグラフィシステムが開示されている。このシステムでは、ｍ×ｎ行列形式の全ての電子ビーム中の電流の合計の絶対値が、平面上に設けられたファラデーカップを使用することによって測定され、また、前記ｍ×ｎのビームの各々の相対値が、半導体検出器を使用して、すなわち、反射された電子、つまり二次電子の決定のために、シンチレータと光電子増倍管との組合せを使用することによって測定される。全ての電流に対して標準化された相対電流値が図表に示され、これは、続く描画動作での信頼性を改良するように、異常な値の検出を一目で可能にする。ファラデーカップは、その上に衝突する１又は全ての電子ビームの絶対合計電流を正確ではあるが比較的ゆっくり決定するために使用される。相対電流測定は、比較的速いがそれほど正確でなく、少なくとも１つの電子ビームの電流の相対的な表現を与える。全ての電子ビームの組み合わせられた全電流が知られているとき、全てのそれぞれの電子ビームに対する相対電流から、全てのそれぞれの電子ビームに対する絶対電流の評価がなされることができる。
【０００７】
米国特許出願２００６／０，１３８，３５９Ａ１には、ＣＰビーム露光装置が開示されている。この装置は、複数のＣＰビームを使用して露光を行うために、アパーチャアレイで形成された複数のアパーチャによって、ＣＰビーム源からのＣＰビームを複数のＣＰビームに分割する。この装置は、  
前記アパーチャアレイの前記アパーチャを通過する前記ＣＰビームの強度を検出する検出ユニットと、  
前記検出ユニットによって得られた前記検出の結果に基づいて前記ＣＰビームの強度を調節するグリッドアレイと、  
を具備する。米国特許出願２００６／０，１３８，３５９Ａ１による一実施の形態では、１又は複数のビームの強度が、露光装置で２つのレベルで測定される。まず、アパーチャアレイを通過するそれぞれのビーム又はグループのビームの各々に対して強度が測定される。これは、アパーチャアレイを通過する全ての他のビームをブランキングして、測定されることになっているビーム又はグループのビームを測定するために、それぞれのＣＰビームの近くにファラデーカップを位置決めすることによって行われる。ファラデーカップは、ウェーハ表面に近いビーム又はグループのビームの測定を得るために、ウェーハ表面上に、又はその近くに置かれる。各ビーム又はグループのビームの測定された強度は、メモリに格納され、後に参照値として使用される。
【０００８】
ビームの強度のさらなる測定は、ウェーハのようなターゲットのパターニングフェーズ中に果されることができる。アパーチャアレイ上の表面によってブロックされるビームの部分の強度が測定され、前記表面は、互いに隔離されており、単一のアパーチャ又はグループのアパーチャと関連している。アパーチャを囲む表面によってブロックされたＣＰビームの一部の強度は、アパーチャを通過するＣＰビームの一部の強度と同様であると仮定される。従って、アパーチャアレイの関連するブロッキング表面上で測定されたＣＰビームの強度に基づいたアパーチャアレイから出る複数のＣＰビームのおおよその強度を決定することが可能となる。これらの測定中に得られる値は、前記参照値と比較され、また、システムは、アパーチャアレイから出るＣＰビームの均一性を最大にするように構成されている。
【０００９】
アパーチャアレイから出るビームの実際のそれぞれのビームの強度を測定するために上述の装置を使用するとき、この場合にはファラデーカップである測定装置は、パターニングフェーズ中にビームがターゲットに達するところに近い位置にもたらさなければならない。測定装置のこの位置決めは、アパーチャアレイから出る複数のビームから出た各ビームに対して繰り返されなければならず、時間がかかり、特に、数千のビームが測定されなければならないシステムにとって非実用的である。さらに、ターゲットのレベルに達する前に所定の点でおおよそのＣＰビームの強度を測定するアパーチャアレイ上の検出面は、正確にアライメントされなければならず、ＣＰビームと実質的に干渉することを許されない。検出面の正確なアライメントは、複雑な設計を必要とする。さらに、アパーチャが非常に小さいとき、例えば、数千のビームがアパーチャアレイから出る、又は高ビーム解像度に達することを可能にするために、ＣＰビームは、検出面によって放出される電気信号によって影響され、このアプローチは、数千のそれぞれのＣＰビームが使用されるシステムにとって非実用的である。
【００１０】
明らかに、好ましくは単一のセンサのみを使用して、最小時間の間だけ製造プロセスを遅らせる、多数（例えば、数万）のビームの各ビームの線量を迅速に決定するシステム及び方法が、産業上なおも必要である。
【発明の概要】
【００１１】
この目的のために、第１の態様によれば、本発明は、マルチビームリソグラフィシステムを提供する。このマルチビームリソグラフィシステムは、多数のビームを与えるためのビーム源と、前記多数のビームから出た各ビームのためのブランカを有し、複数のビームを実質的に通過させるように構成されたブランカアレイと、各ビームがブランキングされるべきとき、及びブランキングされるべきでないときを各ビームに示す一時ブランキングパターン（temporal blanking pattern）を前記ブランカアレイに与えて、只一つの一時ブランキングパターンで各ビームを変調するための制御装置と、前記ブランカアレイの下流側に配置され、それぞれ変調された前記複数のビームを直接かつ同時に感知して、前記複数のビームの集合信号を与えるように配置されたセンサ領域を含むセンサを有する測定装置と、を具備する。この実施の形態は、複数のビームの直接かつ同時の測定を可能にし、集合信号をもたらす。効果的には、前記センサは、測定中、それぞれのビームの測定のためにセンサを再アライメントする際に時間を費やす必要をなくすように、適所にとどまることができる。さらなる効果は、センサが、ビームに露光されることになっているターゲットと同じレベルに置かれることができるということであり、これにより複数のビームがウェーハのようなターゲットにぶつかるので、ビームの測定を可能にする。複数のビームのそれぞれのビームを同時に測定することのさらなる効果は、センサの構成に複雑さを加えることのないよいスケーラビリティ（scalability）である。センサが個々の信号の代わりに各ビームに対して集合信号を与えるので、従来技術で見られるような手の込んだ電気配線の構成が省かれることができ、また、システムは、センサの領域を増加させることによってさらなるビームを測定するのに容易に適することができる。かくして、多数の（例えば、少なくとも数十万）ビームの集合信号を同時に得ることが可能である。単一のセンサのみが、スペース、メンテナンスの必要性を必要とするので、さらに、システムの構成の複雑さが最小限に保たれる。さらに、多数のビームの集合強度が測定されるので、センサのダイナミックレンジはより小さくあることができる。しかし、重要なことに、このような集合信号を正確に測定するために必要とされる時間が、それぞれのビームのはるかに小さな強度を正確に測定するために必要とされる時間よりもかなり短いことができる。この実施の形態は、約１０秒で５００，０００以上のビームのそれぞれのビームの強度の決定を果すことができる。
【００１２】
一実施の形態では、前記システムは、前記集合信号をそれぞれのビームの各々に対する強度の値に復調するように構成された復調器をさらに具備する。全てのそれぞれのビームに対する一時ブランキングパターンに関する情報は、時間にわたる集合信号と一緒に、復調器がそれぞれのビームの強度の値を推定するのに十分な情報を与える。２つのビームの２つの一時ブランキングパターンが等しくないので、復調が可能である。もし２つのビームの一時ブランキングパターンが等しければ、このような２つのビームがそれぞれ８５％及び９５％の強度を有するか、又は、同じ２つのビームが、例えば、それぞれ９５％及び８５％、又は１００％及び８０％の強度を有するかどうかを、一連の集合信号の測定から得ることは不可能である。
【００１３】
一実施の形態では、前記復調器は、前記制御装置に前記一時ブランキングパターンを与えて、これらの対応する一時ブランキングパターン及び時間の関数としての前記複数のビームの集合信号に基づいてそれぞれのビームの強度の測度（measure）を計算するように構成された電子データプロセッサ（１１３）を有する。代表的には、それぞれのビームに対する一時ブランキングパターンは、コンピュータのような電子データプロセッサのメモリに格納される。電子データプロセッサは、制御装置にこれらのパターンを与える。代わって、前記制御装置は、所定の時間、ブランカアレイにブランキングパターンを与える。ブランカアレイに異なるパターンが与えられるごとに集合強度信号の測定がなされ、電子データプロセッサのメモリに格納されることができる。従って、全ての測定が全て行われたとき、それぞれのビームの強度を計算するために十分な情報が電子データプロセッサにより利用可能である。これが行われることができる方法が、本明細書の以下の部分に記載される。
【００１４】
一実施の形態では、前記センサ領域は、システムの前記多数のビームの全てのビームを同時に感知するように構成されている。ブランカアレイのブランカは、ビームを単に実質的にブランキングすることが可能であり、例えば、ブランカは、ビームの９９％のブランキング可能であることができ、ビームの１％を残余ビーム（residual beam）として通過させる。単一の残余ビームの信号を評価する方法は、多数のビームがブランキングされていないときの集合信号、１を除く全ての多数のビームがブランキングされたときの集合信号、及びビームの信号対比値を測定することである。第１のものから第２のもの及び第３のものを減じることによって、それぞれのビームの残差信号を与える。
【００１５】
一実施の形態では、前記センサ領域は、連続した領域である。多数のビームの全てのビームを同時に感知するように構成されたセンサ領域が連続しているとき、センサ上へのビームのアライメントが簡単に保たれることができる。
【００１６】
システムの一実施の形態では、前記多数のビームは、多数の荷電粒子ビームを含み、また、前記センサは、前記複数のビームによって発生された集合電流を測定するように構成された電流測定装置を有する。効果的には、本発明によれば、特にセンサ領域で、必要な電気配線をかなり少なくすることができ、使用される荷電粒子ビームの望ましくない偏向と分散との少なくとも一方をより低減させる。電場に対する荷電粒子ビームの感度は、ブランカアレイで効果的に使用されることができ、このようなブランカアレイは、光電池セルで囲まれたアパーチャのアレイを有することができる。このようなセルが光で照射されたとき、アパーチャのまわりに局部電流が発生され、単一のビームを偏向させるのに適している。かくして、ブランキングアレイ全体は、電気制御線を使用することなく効果的に構成されることができ、また、ＣＰビームと干渉しない光源を使用して制御されることができる。
【００１７】
一実施の形態では、前記電流測定装置は、少なくとも１つのファラデーカップと、電流クランプと発光物質との少なくとも一方と、フォトンカウンタとを有する。ファラデーカップの使用は、簡単なセンサの効果を与える一方、センサ自身は、後方散乱されたＣＰビームの分散にかなりの程度まで無反応である。さらに、ファラデーカップを使用してなされる測定は、このカップで捕集された荷電粒子の数と、ファラデーカップで発生された測定された電流との間に直接的な関係を与える。電流クランプ又は同様の装置が電流を測定するために使用される場合には、このクランプは、測定中にビームをブロックしないので、パターニングフェーズ中に使用されることができる。荷電粒子の数に加えて、粒子のエネルギが関係しているとき、イットリウムアルミニウムガーネット結晶のような発光物質及びフォトンカウンタが使用されることができる。
【００１８】
一実施の形態では、本発明によるシステムは、前記ビームに露光されるターゲットを保持し、かつ移動させるためのステージを有するターゲット位置決めシステムをさらに具備する。このターゲット位置決めシステムでは、前記測定装置は、前記ステージに装着される。測定装置がステージに装着されたとき、測定中のビームと測定装置との間の距離は、パターニングフェーズ中のビームとターゲットとの間の距離とほぼ等しくなることができ、かくして、これらビームがターゲットにぶつかるので、ビームの強度のよい表示を与える。
【００１９】
一実施の形態では、前記システムは、前記複数のビームを前記センサ領域に方向付けるための収束手段をさらに具備する。前記複数のビームを方向付けることによって、それぞれのビームが組み合わせることが可能でないとき、例えば、特定のセンサ領域が対応するビームに割り当てられたときに可能であるよりもはるかに小さなセンサ領域が使用されることができる。好ましくは、前記収束手段は、リソグラフィシステムの光学カラムの端部に位置される。一実施の形態では、前記収束手段は、前記測定装置中に含まれる。
【００２０】
一実施の形態では、前記収束手段は、光学系、又は電界レンズのような収束要素を有する。
【００２１】
一実施の形態では、前記測定装置は、前記センサ領域の前方に置かれたナイフエッジ又はナイフエッジアレイをさらに有する。この実施の形態で得られる測定を使用して、それぞれのビームの強度の計算と同様にしてそれぞれのビームのプロファイルを計算することが可能である。
【００２２】
一実施の形態では、前記ナイフエッジ又はナイフエッジアレイは、システムのイメージ面に実質的に置かれる。
【００２３】
第２の態様によれば、本発明は、ターゲット上にマルチビームを投影するためのマルチビームカラムを有するマルチビームリソグラフィシステムを提供する。前記カラムは、多数のビームを与えるためのビーム源と、前記ビーム源と前記ターゲットとの間に配置され、前記多数のビームから出た各ビームのためのブランカを有し、複数のビームを実質的に通過させるように構成されたブランカアレイと、各ビームがブランキングされるべきとき、及びブランキングされるべきでないときを各ビームに示すブランキングパターンを前記ブランカアレイに与えるための制御装置と、前記ターゲット上に前記複数のビームを投影するための投影手段と、を具備し、このシステムは、さらに、前記マルチビームカラムのスループットを試験するように、前記マルチビームカラムの下流側に配置されたセンサを具備し、前記センサは、前記多数のビームの全てのビームを同時に感知するように構成されたセンサ領域を有し、前記センサは、前記複数のビームの集合信号を与えるように配置されている。このセットアップは、ターゲットのパターニング中に使用されるのと同じ光学系を使用して、ビームの強度の正確な測定を果す。測定中、測定に影響を及ぼしうるさらなる光学系を使用する必要はなく、また、ターゲットのパターニング中、適切であるようにして複数のビームを異なるように偏向する必要もない。
【００２４】
好ましい一実施の形態では、前記センサ領域は、ターゲットとほぼ同じレベルに置かれる。これは、これらがターゲットにぶつかるので、ビームの強度の非常に正確で現実的な測定をもたらす。センサがファラデーカップを有する場合には、カップの入口は、好ましくは、ターゲットとほぼ同じレベルに置かれる。
【００２５】
第３の態様によれば、本発明は、ここに記述されるようなシステムでのビームの同時測定の方法を与える。この方法は、  
ｉ）各ビームブランカに対して、各々が所定の時間間隔にわたる関連するビームの変調を示す一時ブランキングパターンを有する多数の一時ブランキングパターンを与える工程と、  
ｉｉ）関連する一時ブランキングパターンをビームに関連する各ブランカに流すことによって、前記時間間隔中に前記多数のビームを同時に変調して、全てのブランキングされていないビームの集合ビームの強度信号を感知して、前記一時パターンの流れ中に時間の関数として前記信号を測定する工程と、  
ｉｉｉ）これらの関連する一時ブランキングパターン及び時間の関数としての前記信号に基づいて、それぞれのビームの強度の測度を計算する工程と、を具備する。  
この方法を使用することによって、ただ１つのセンサを使用してなされる集合測定からそれぞれのビームの強度を計算することが可能となる。これらのそれぞれの強度が決定されることができる速度（rate）は、ビームの各測定に対するセンサを再アライメントする必要がないので、非常に速いことができる。さらに、いくつかのビームがブランキングされずに残っているときはいつでも、それぞれのビームの強度の決定の精度に対する残差信号の影響は、この方法を使用して低減される。
【００２６】
一実施の形態では、前記工程ｉｉｉ）は、これらに関連する一時ブランキングパターン及び時間の関数としての前記信号に基づいて、それぞれのビームの強度の測度を計算することによって前記信号を復調することを含む。
【００２７】
一実施の形態では、前記一時ブランキングパターンは、互いにほぼ直交する。一時ブランキングパターン間の高度の独立性は、結果として生じる集合信号が容易にデコードされるのを可能にする。
【００２８】
一実施の形態では、前記ｉ）及びｉｉ）の工程中、前記多数のビームのほぼ半分のみがスイッチを切り換えられる。この実施の形態では、測定される集合信号の範囲は、実質的に減少されることができ、より小さな範囲でより感知可能なセンサの使用を可能にし、また、測定がより迅速に果されることを可能にする。さらに、集合信号のノイズの影響及びここから得られるそれぞれのビームの強度は、１つのそれぞれのビームの強度のわずかな変化が他のそれぞれのビームの強度のわずかな変化によってほぼ打ち消されることができるので、かなり少ない。
【００２９】
一実施の形態では、前記多数の一時ブランキングパターンは、擬似乱数を使用して発生される。歴史を経て、擬似乱数を発生させる多くの方法が考案され、また、多くのコンピュータにインプリメントされた乱数発生器が広くテストされている。線形フィードバックシフトレジスタを使用した有名で周知な１つの方法は、１９９６年のテキサスインスツルメントによる刊行物「ＬＦＳＲとは何か」に開示されており、これは、一時ブランキングパターンを発生させるのに適している。このようなブランキングパターンの高度な不規則性は、これらがポテンシャルの干渉と一致しにくいようにし、これは、例えば、測定装置の電源にありうるし、また、結果の正確さに影響しうる。さらに、ランダムな要素は、擬似ランダム発生パターンによってこのようなパターンの１の部分又は複数の部分を置き換えることによって、非ランダム発生一時ブランキングパターンに加えられることができる。
【００３０】
一実施の形態では、一時ブランキングパターンは、アダマール行列又はウォルシュ行列のような直交行を有する直交行列の行から得られる。出発点としてこのような行列を使用して、大量の一時ブランキングパターンが発生されることができる。
【００３１】
一実施の形態では、前記一時ブランキングパターンは、各一時ブランキングパターンが多くのオン・オフの切り替え（transition）を含むように選択される。効果的には、集合信号のビームの強度中の周期的な変化の影響は、かくして低減されることができる。このような周期的な変化は、例えば、ビーム発生器に動力を供給する電源の周波数に依存する。一時ブランキングパターンのいくつかの設定が利用可能であるとき、それぞれのビームに対して一時ブランキングパターンが多くの切り替えを有する設定が好まれる。
【００３２】
一実施の形態では、前記一時ブランキングパターンは、ほぼいつでも、ブランキングされていないビームの合計量がほぼ一定であるように構成されている。言い換えれば、測定中、センサに達する複数のビーム中のビームの数はいつでもほぼ同じであり、センサのダイナミックレンジを減少させる。
【００３３】
一実施の形態では、前記センサは、前記複数のビームによって発生される集合電流を測定するように配置された電流測定装置を有する。この電流測定装置は、可変利得増幅器をさらに有し、この可変利得増幅器は、高利得かつ低ノイズの設定を含む第１の設定と、低利得かつ高ノイズの設定を含む第２の設定との間で切り替えられることができ、また、この方法は、前記集合電流が小さいと予期されるときに前記可変利得増幅器を前記第１の設定に設定する工程、もしくは前記集合電流が大きいと予期されるときに前記可変利得増幅器を前記第２の設定に設定する工程を含む。
【００３４】
（ブランカアレイを通過するビームの数のいくつかの要因時間でありうる）予期される集合電流に基づいて増幅器の利得を適合調節させることによって、より高精度な測定が得られることができる。
【００３５】
第４の態様によれば、本発明は、ここに記載されるシステムでの使用に適した測定装置を提供する。この装置は、複数のビームを同時に感知して前記複数のビームの集合信号を与えるように配置されたセンサ領域を含むセンサを有し、また、前記測定装置は、さらに、前記センサ領域の前方に置かれたナイフエッジ又はナイフエッジアレイを有する。ナイフエッジアレイのナイフエッジに対するビームの位置は、前記ビームを偏向させることによって、又は前記測定装置を所望の位置にもたらすことによって制御されることができる。ナイフエッジの各位置に対して、ここに記載される任意の方法が、多数のビームから出たビームの各々に関するプロファイルを得るために使用されることができる。
【００３６】
要約すると、本発明は、多数のビームからのそれぞれの変調されたビームの強度が決定されるリソグラフィシステムであって、複数のビームを同時に感知して、これらの集合信号を与えるように構成されたセンサ領域を有するセンサを備えた測定装置を具備するリソグラフィシステムに関する。これらビームは、関連する一時ブランキングパターンに従ってそれぞれ変調される。本発明は、さらに、測定された集合信号及びビームの一時ブランキングパターンによってそれぞれのビームの強度を計算する方法に関する。
【００３７】
明細書中に記載され示されるさまざまな態様並びに特徴は、それぞれ、可能なところならどこにでも適用されることができる。これらのそれぞれの態様、特に、添付の従属請求項に規定される態様並びに特徴は、分割特許出願の対象となることができる。
【００３８】
本発明は、添付図面に示される例示的な実施の形態に基づいて詳述される。
【図面の簡単な説明】
【００３９】
【図１】図１は、本発明に係るマルチビームリソグラフィシステムを示す図である。
【図２】図２は、本発明に係るターゲット位置決めシステムを含むマルチビームリソグラフィシステムを示す断面図である。
【図３】図３は、行が一時ブランキングパターンとして使用されることができる４次のアダマール行列を示している。
【図４】図４は、本発明によって得られるような、所定時間にわたる単一の信号のプロットの一例を示している。
【発明を実施するための形態】
【００４０】
図１には、本発明に係るシステムが示される。多数の一時ブランキングパターンが、例えば、コンピュータ、すなわち電子データプロセッサ１１３によって、制御装置１１２に与えられる。ビーム源１０１は、ビーム１０２を与え、これは、発散するビーム１０２を大部分は平行なビームに変えるように構成されたコリメータ１０３を通過する。そして、かくして生じた大部分は平行なビームが、アパーチャアレイ１０４に投影され、このアパーチャアレイを部分的に通る。アパーチャアレイは、ビームを多数のビーム１０５に分割し、分割されたビームがアパーチャアレイから出る。コンデンサレンズ１０６は、これらがビームブランカアレイ１０７に達する前に、それぞれのビームを集束させるために使用される。ブランカアレイは、制御装置１１２によってブランカアレイに流される一時パターンに対応する複数のビームのみを通させるように構成されている。ブランカアレイは、偏向器アレイ１０７１と、この偏向器アレイ１０７１の下流側で所定の距離離れたさらなるアパーチャアレイ１０７２とを有する。続いて、測定装置１１０によって測定された前記複数のビームの集合信号が、本発明の方法によるさらなる処理のために、コンピュータ１１３に格納される。かくして、コンピュータ１１３は、一旦測定が完了すれば、集合信号を復調するために使用されることができる、すなわち、コンピュータは、これらの関連する一時ブランキングパターン及び時間の関数としての集合信号に基づいて、それぞれのビームの強度の測度を計算するように構成されることができる。前記複数のビームのところの位置１０８は、パターニングフェーズ中、ビームがターゲットに衝突するところと実質的に同じレベル、すなわち高さでイメージ化される。
【００４１】
図２は、本発明に係るターゲット位置決めシステムを含むマルチビームリソグラフィシステム１を示す断面図である。例えばシリコンウェーハであるターゲット３は、このターゲットを保持するためにターゲットテーブル５上に保持される。ターゲットテーブルは、ｙ移動ステージ６に置かれ、続いて、このｙ移動ステージ６がｘ移動ステージ７に置かれる。ｘ移動ステージは、さらに、ほぼターゲットと同じレベルに位置されたセンサ領域を有する測定装置２を含む。真空チャンバ４内に収容された光学カラム１１１は、複数のビームを与える。新しいターゲットがパターン化されるとき、及び、多数のビームから出たそれぞれのビームの線量の可能な変化がモニタされなければならないときはいつでも、ステージは、測定装置が、強度が測定される全てのビームによって達せられる位置にもたらされる。これらのそれぞれのビームの強度の測定及び計算の後、従って、前記強度が調節されることができ、ステージは、ビームの下にターゲットを位置決めするように移動されて、ターゲットのパターニングが開始されることができる。測定装置のための必要なセンサ領域は、複数のビームがセンサ領域に達する前に、これらビームを集束させるための収束手段を使用することによって縮小されることができる。代わって、測定装置は、多数のビームから出る各ビームに対してビームプロファイルを決定するためのナイフエッジアレイを有することができる。ナイフエッジアレイに関してビームのいくつかの異なる位置のセンサ上に入射するビームのビーム強度を計算することによって、多数のビームから出る各ビームのそれぞれのビームのプロファイルが得られることができる。
【００４２】
図３には、行が一時ブランキングパターンとして使用される直交行列Ｈが示される。問題となる行列は、４次のアダマール行列であるが、測定の所望の精度に依存して、他の正方行列が使用されることができる。計算を容易にするために、これら行列は、好ましくは、２値行列である。一例では、複数の強度を有する４つのビームがあると仮定する。  
【数１】
0005619760.tif 000002
【００４３】
一時パターンの一部をブランカアレイに流す各時間間隔ｎで、測定手段によって測定された集合信号ｘｎは、  
【数２】
0005619760.tif 000003
【００４４】
すなわち、例えば、ある場合には、  
【数３】
0005619760.tif 000004
【００４５】
である。  
実際には、集合信号は、ノイズをさらに含む。４つの測定に対するノイズが、  
【数４】
0005619760.tif 000005
【００４６】
のようにモデル化されるならば、ノイズを含む測定された集合信号は、  
【数５】
0005619760.tif 000006
【００４７】
である。集合信号に対するそれぞれのビームの寄与を取り戻す（retrieve）ためには、  
【数６】
0005619760.tif 000007
【００４８】
を計算すれば十分である。この例では、明確化及び簡便化の理由のためにアダマール行列が使用されるが、いくつかのさらなる効果を与える同様の特性を有する他の種類の正方行列も使用されることができる。しかし、いずれの場合も、本方法は、全ての一時ブランキングパターンが他の一時ブランキングパターンに対してほぼゼロの内積を有しているので、１つを除く集合信号への全ての一時ブランキングパターンの寄与は、集合信号に関して１つの一時ブランキングパターンの内積をとることによって取り除かれることができる。例において、集合信号の第１の要素は、行列Ｈの第１の列の和が次の列の和よりもはるかに大きいことにより、他の要素よりもはるかに高い値を有する。集合信号の第１の要素がちょうど無視されたとき、その後、測定装置のダイナミックレンジは、１つのビームの測定のコストをかなり減少させることができる。代わって、測定装置のダイナミックレンジの必要条件を減少させるために、全ての列がほぼ等しい和を有する行列が使用されることができる。また、擬似ランダム発生行列の行から得られる一時ブランキングパターンは、特に、測定中、干渉の排除（rejection）の改良やランダムノイズのような、望ましい特性を与え、測定装置のダイナミックレンジを減少させ、比較的低ノイズの測定装置が使用されることが可能である。
【００４９】
図４では、グラフは、本発明に係る方法に使用されるような所定時間にわたる単一の信号を示している。信号を得るために使用された一時ブランカパターンは、６次のアダマール行列の行からなる。信号中のピークは、行列の第１の列の和が他の列の和よりもはるかに大きいという事実によって引き起こされる。一時ブランキングパターンから得られるこれらのアダマール行列は、測定開始時に、全てのビームがブランカアレイを通過し、その一方、他の時は、半分のビームのみが通過する。グラフは、ダイナミックレンジの改良を示しており、これは、１つのビームを測定することによってか、例えば、一時ブランキングパターンから得られる擬似ランダム発生行列を使用することによっての少なくとも一方によって果されることができる。
【００５０】
要約すると、本発明は、多数のビームからのそれぞれの変調されたビームの強度が決定されるリソグラフィシステムであって、複数のビームを同時に感知してその集合信号を与えるように構成されたセンサ領域を有するセンサを備えた測定装置を具備するリソグラフィシステムに関する。これらビームは、関連する一時ブランキングパターンに従ってそれぞれ変調される。本発明は、さらに、測定された集合信号及びビームの一時ブランキングパターンによってそれぞれのビームの強度を計算する方法に関する。
【００５１】
上の記載は、好ましい実施の形態の動作を説明するためのものであり、本発明の範囲を限定することを意図していないことが理解される。上の説明から、多くの変形例が、本発明の意図並びに範囲に含まれることが当業者にとって明白である。例えば、説明された実施の形態は、全て、荷電粒子ビームに関するものであるが、極紫外（ＵＶ）のような、光リソグラフィシステムに適用可能である。
以下に、本出願の出願当初の特許請求の範囲に記載された発明を付記する。
［１］多数のビームを与えるためのビーム源と、前記多数のビームから出た各ビームのためのブランカを有し、複数のビームを実質的に通過させるように構成されたブランカアレイと、各ビームがブランキングされるべきとき、及びブランキングされるべきでないときを各ビームに示す一時ブランキングパターンを前記ブランカアレイに与えて、只一つの一時ブランキングパターンで各ビームを変調するための制御装置と、前記ブランカアレイの下流側に配置され、それぞれ変調された前記複数のビームを直接かつ同時に感知して、前記複数のビームの集合信号を与えるように配置されたセンサ領域を有するセンサを含む測定装置と、を具備するマルチビームリソグラフィシステム。
［２］前記集合信号をそれぞれのビームの各々に対する強度の値に復調するように構成された復調器をさらに具備する［１］のマルチビームリソグラフィシステム。
［３］前記復調器は、前記制御装置に前記一時ブランキングパターンを与えて、これらの対応する一時ブランキングパターン及び時間の関数としての前記複数のビームの前記集合信号に基づいてそれぞれのビームの強度の測度を計算するように構成された電子データプロセッサを有する［２］のマルチビームリソグラフィシステム。
［４］前記センサ領域は、システムの前記多数のビームの全てのビームを同時に感知するように構成されている［１］ないし［３］のいずれか１のシステム。
［５］前記センサ領域は、連続した領域である［１］ないし［４］のいずれか１のシステム。
［６］前記多数のビームは、多数の荷電粒子ビームを含み、また、前記測定装置は、前記複数のビームによって発生された集合電流を測定するように配置された電流測定センサを有する［１］ないし［５］のいずれか１のシステム。
［７］前記電流測定センサは、少なくとも１つのファラデーカップと、電流クランプと発光物質との少なくとも一方と、フォトンカウンタとを有する［６］のシステム。
［８］前記ビームに露光されるターゲットを保持し、かつ移動させるためのステージを有するターゲット位置決めシステムをさらに具備し、前記測定装置は、前記ステージに装着される［１］ないし［７］のいずれか１のシステム。
［９］前記複数のビームを前記センサ領域に方向付けるための収束要素をさらに具備する［１］ないし［８］のいずれか１のシステム。
［１０］前記測定装置は、前記センサ領域の前方に置かれたナイフエッジ又はナイフエッジアレイをさらに有する［１］ないし［９］のいずれか１のシステム。
［１１］前記ナイフエッジ又はナイフエッジアレイは、システムのイメージ面に実質的に配置されている［１０］のシステム。
［１２］［１］ないし［１１］のいずれか１のシステムで複数のビームを同時に測定する方法であって、ｉ）各ブランカに対して、各々が所定の時間間隔にわたる関連するビームの変調を示す一時ブランキングパターンを有する多数の一時ブランキングパターンを与える工程と、ｉｉ）関連する一時ブランキングパターンをビームに関連する各ブランカに流すことによって、前記時間間隔中に前記多数のビームを変調して、全てのブランキングされていないビームの集合ビームの強度信号を感知して、前記一時パターンの流れ中に時間の関数として前記信号を測定する工程と、ｉｉｉ）これらに関連する一時ブランキングパターン及び時間の関数としての前記信号に基づいて、それぞれのビームの強度の測度を計算する工程と、を具備する方法。
［１３］前記工程ｉｉｉ）は、これらに関連する一時ブランキングパターン及び時間の関数としての前記信号に基づいて、それぞれのビームの強度の測度を計算することによって前記信号を復調することを含む［１２］の方法。
［１４］前記多数のビームの前記一時ブランキングパターンは、互いにほぼ直交する［１２］又は［１３］の方法。
［１５］前記ｉ）及びｉｉ）の工程中、前記多数のビームのほぼ半分のみがスイッチを切り換えられる［１２］ないし［１４］のいずれか１の方法。
［１６］前記多数の一時ブランキングパターンは、擬似乱数を使用して発生される［１２］ないし［１５］のいずれか１の方法。
［１７］前記一時ブランキングパターンは、各一時ブランキングパターンが、多数のオン・オフの切り替えを含むように選択される［１２］ないし［１６］のいずれか１の方法。
［１８］前記一時ブランキングパターンは、ほぼいつでも、ブランキングされていないビームの合計量がほぼ一定であるように構成されている［１２］ないし［１７］のいずれか１の方法。
［１９］前記測定装置は、前記複数のビームによって発生される集合電流を測定するように配置された電流測定センサを有し、前記測定装置は、可変利得増幅器をさらに有し、この可変利得増幅器は、高利得かつ低ノイズの設定を有する第１の設定と、低利得かつ高ノイズの設定を有する第２の設定とを有し、前記集合電流が小さいと予期されるときに前記可変利得増幅器を前記第１の設定に設定する工程、もしくは前記集合電流が大きいと予期されるときに前記可変利得増幅器を前記第２の設定に設定する工程を含む［１２］ないし［１８］のいずれか１の方法。
［２０］複数のビームを同時に感知し、かつ、前記複数のビームの集合信号を与えるように配置されたセンサ領域を有するセンサを有し、さらに、前記センサ領域の前方に配置されたナイフエッジ又はナイフエッジアレイを有する［１］ないし［１１］のいずれか１のシステムでの使用に適した測定装置。
［２１］ターゲット上にマルチビームを投影するためのマルチビームカラムを有するマルチビームリソグラフィシステムであって、前記カラムは、多数のビームを与えるためのビーム源と、前記ビーム源と前記ターゲットとの間に配置され、前記多数のビームから出た各ビームのためのブランカを有し、複数のビームを実質的に通過させるように構成されたブランカアレイと、各ビームがブランキングされるべきとき、及びブランキングされるべきでないときを各ビームに示すブランキングパターンを前記ブランカアレイに与えるための制御装置と、前記ターゲット上に前記複数のビームを投影するための投影手段と、前記マルチビームカラムのスループットを試験するように、前記マルチビームカラムの下流側に配置され、前記多数のビームの全てのビームを同時に感知するように構成されたセンサ領域を有し、前記複数のビームの集合信号を与えるように配置されたセンサと、これらに対応する一時ブランキングパターン及び時間の関数としての前記複数のビームの集合信号に基づいてそれぞれのビームの強度の測度を計算することによって前記集合信号を復調するための復調器と、を具備するマルチビームリソグラフィシステム。
【図１】
0005619760.tif 000008
【図２】
0005619760.tif 000009
【図３】
0005619760.tif 000010
【図４】
0005619760.tif 000011